(57)【特許請求の範囲】
【請求項１】
発泡性飲料を飲料容器から他の容器に注出する際に使用される飲料注出具であって、
前記飲料容器の注出口側に配置される基部と、前記発泡性飲料を多筋状にして前記容器に注出できるように、前記基部の表面に２．０乃至５．０ｍｍの範囲で互いに等しい内径の複数の管を形成し、
前記管は基部表面の一方の側から他方の側に向かって長さが短くなるように形成されていることを特徴とする飲料注出具。
【請求項２】
発泡性飲料を飲料容器から他の容器に注出する際に使用される飲料注出具であって、
前記飲料容器の注出口側に配置される基部と、前記発泡性飲料を多筋状にして前記容器に注出できるように、前記基部の表面に２．０乃至５．０ｍｍの範囲で互いに等しい内径の複数の管を形成し、
前記管は、長さが等しくされ、且つ、表面が傾斜している前記基部の表面に形成されていることを特徴とする飲料注出具。
【発明の詳細な説明】
【０００１】
【発明の属する技術分野】
本発明は、発泡性飲料の飲料注出具に関し、特に外部容器に該発泡性飲料を注出したときに、その上部に微細な泡を形成できる飲料注出具に関する。
【０００２】
【従来の技術】
通常、家庭や飲食店で容器入りのビール、発泡酒等の発泡性飲料（以下、ビールを例に説明する）を飲用する際には、缶或いは瓶からコップ（他の容器）にピールを注ぎ出して飲用する。コップに注がれたビールは、その上部に微細な泡（クリーミ−な泡）が３〜４割程度載った状態が良いと一般に言われている。その理由としては、適度な泡がビールの上部に形成されていることで見た目が良くなり、さらにはその泡がビールの酸化や気抜けを防止する機能も果たすからである。
【０００３】
上記のようにクリーミ−な泡を適度に発生させるには、先ずコップ上端より１０ｃｍ程度のところから比較的大きな落差をもって泡立たせるようにビールを注ぎ出し、その後適度な泡が立った段階で落差を小さくしてビールをコップへ静かに注出する、という２段階で注出動作を行うのが良いとされている。そして、このような注出動作は誰にでも簡単に実行できるように思われる。
【０００４】
【発明が解決しようとする課題】
しかし、このような注出動作を実際に行ってみると、微妙な調整が必要でありビール上に所望の泡立ちを形成することが極めて困難であることが分かる。最初の泡立て具合が不十分であると殆ど泡が立たなかったり、その逆に最初に泡が立て過ぎると泡過多の状態となってしまう等の事態を生じる。
【０００５】
また、市販されているビールの瓶や缶の注出口は内径が１５ｍｍ程度である。このように大きな注出口から注ぎ出されるビールは、大量に勢いよく注ぎ出る傾向があり、コップ内に目が粗く大きな泡が形成される。このような泡は短時間で消えてしまう。よって、一般に、缶や瓶から注ぎ出されたビール上に木目が細かくクリーミ−な泡を形成することは困難なことであった。
【０００６】
したがって、本発明の目的は、簡易な構成で誰でも発泡性飲料にクリーミーな泡を適度に形成できる飲料注出具を提供することである。
【０００７】
【課題を解決するための手段】
上記目的は請求項１に記載の如く、発泡性飲料を飲料容器から他の容器に注出する際に使用される飲料注出具であって、前記飲料容器の注出口側に配置される基部と、前記発泡性飲料を多筋状にして前記容器に注出できるように、前記基部の表面に２．０乃至５．０ｍｍの範囲で互いに等しい内径の複数の管を形成し、前記管は基部表面の一方の側から他方の側に向かって長さが短くなるように形成されている、構成により達成される。
【０００８】
請求項１に記載の発明によれば、管路部に形成された複数の管の各々から流れ出た発泡性飲料が互いに接触することなく、多筋状になってコップ等の他の容器に注ぎ出される。その結果、発泡性飲料上にクリーミ−な泡を適度に形成することができる。よって、従来のように注出動作を工夫するという必要も無く、誰でもクリーミーな泡立ちを有した発泡性飲料を注出することができる。すなわち、本飲料注出具を用いることで、前述した従来の問題が解消され、外部容器に注ぎ出された発泡性飲料は見た目が良く、泡が消えるまでの時間も長くなるので酸化防止、気抜け防止点で優れた効果を発揮することになる。
【０００９】
前記飲料注出具の各管は内径が異なるものを採用してもよいが、同一内径のものを採用することで加工が簡素化でき、また管長を変更することで外部容器に注ぎ出された発泡性飲料の上に形成する泡の状態も調節できる。なお、各管の断面形状について特に限定はなく、円形、楕円形、三角形、四角、多角形等を採用できる。
【００１０】
また、上記目的は請求項２に記載される如く、発泡性飲料を飲料容器から他の容器に注出する際に使用される飲料注出具であって、前記飲料容器の注出口側に配置される基部と、前記発泡性飲料を多筋状にして前記容器に注出できるように、前記基部の表面に２．０乃至５．０ｍｍの範囲で互いに等しい内径の複数の管を形成し、前記管は、長さが等しくされ、且つ、表面が傾斜している前記基部の表面に形成されている、構成によっても達成することができる。
【００１１】
請求項２記載の発明の場合は、前記基部の表面が傾斜しているので前記管の長さが略同一であっても、管の長さを異なる形態で形成した場合と同様に飲料容器を傾けて実際の注出動作を行ったときに、流れ出た発泡性飲料が互いに接触することなく、多筋状になって外部容器に注ぎ出される。よって、本発明によっても注出動作を工夫するという必要も無く、誰でもクリーミーな泡立ちを有した発泡性飲料を注出することができる。
【００１３】
請求項１及び２に記載の発明によれば、発泡性飲料にクリーミーな泡を適度に形成できる飲料注出具を提供することができる。
【００１６】
【発明の実施の形態】
以下、図面に基づいて本発明の第１実施例を説明する。図１は缶１００に本実施例の飲料注出具１０を適用した例を示している。本第１実施例で示す飲料注出具１０は、アダプタ３０を介してビールが入った缶（飲料容器）１００に装着される。なお、缶１００は、上部に環状の鍔部１０４を有すると共に、注ぎ口１０２を備える一般的なものである。
【００１７】
アダプタ３０は缶１００の上部を覆うことができる大きさの蓋状に形成されている。このアダプタ３０の下部には環状のくびれ３４が形成され、缶１００側に押圧されたときに環状の鍔部１０４を乗越えて係合するようになっている。また、アダプタ３０の上側の一部には突出部３２が形成される。この突出部３２に飲料注出具１０が嵌合される。突出部３２は上部に開口し、その外周は飲料注出具１０の下部にある基部１０Ａの内面１５と略同じ径に形成されている。よって、飲料注出具１０が上から押し込まれると突出部３２の外周と基部１０Ａの内面１５とが隙間が生じない程度の緊密性を有して接続される。なお、参照番号３６で示しているのは空気穴である。
【００１８】
上記飲料注出具１０は、基部１０Ａとその上に形成される管路部１０Ｂから成る。管路部１０Ｂは異なるの長さの管１２、１４、１６を備えている。これらの管１２、１４、１６は基部１０Ａの上面から延出した状態に形成されている。これらの管１２、１４、１６はビールをコップに注ぐために缶１００を傾けたときに、上側（コップから遠い側）の管が長くなるように基部１０Ａ上に形成されている。すなわち、管路部１０Ｂの管はビールを注出する際にコップに近接するものほど短くなるように形成されている。図１で示す場合は紙面おいて、左側に傾けられることになるので、右側となる管１２が最も長く、左側となる管１６が最も短く設定されている。
【００１９】
例えば、最長の管１２は基部１０Ａの上面から１５ｍｍ、次に長い管１４は１０ｍｍ、最短の管１６は５ｍｍとされ、これらの内径は例えば２．０〜５．０ｍｍ程度に形成されている。ちなみに本実施例で管の内径は約３．０ｍｍとした。
【００２０】
図２は、缶１００にアダプタ３０を介して本注出具１０が装着された様子を示す斜視図である。図２から明らかなように、本注出具１０では上記長さ及び内径を有する管１２が２本、管１４が３本、管１６が２本、基部１０Ａに形成されている。但し、上記管の数や内径、断面形状は特に限定されるものではない。また、本第１実施例では、同一の長さを有する複数の管（グループ管）は直線状に並び、グループ管は他のグループ管と略平行になるような配置を例示している。しかし、これに限らず例えば円弧状に配置してもよい。要するに、缶１００を傾けてビールをコップへ注ぎ出す際に、管１２、１４、１６の各々から流れ出たビールが表面張力等の影響を受けて隣の管から出たビールと混ざり合うことなく一つの流れ（筋）となるように管の数や内径、配置等を適宜、設計すればよい。
【００２１】
なお、管の本数については注出時間も考慮して、内径を含めて最適数を決定する。本実施例の如く内径３．０ｍｍ程度の場合は許容できる注出時間を考慮すると最低５〜６本の管が必要であった。
【００２２】
図３は本飲料注出具１０を装着した缶１００を傾けてコップ５０にビールを注ぎ出している様子を示した図である。各管１２、１４、１６から流れ出たビールが交わることなく、多数の筋となってコップ５０内に入ることが分かる。缶１００内のビールを注ぎ出すときには、容器を約３０〜５０度傾けて注ぐのが一般的である。このとき傾斜角が緩やかであると各管から流れ出るビールの勢いも弱くなる。特に傾けたときに上下で隣合う管の場合、上側の管から流れ出たビールが下の管から流れ出たビールと交わってしまうことになる。しかし、本実施例の飲料注出具１０はこの点まで考慮して各管１２、１４、１６の長さが異なる構成となっているので、隣の管から出たビールと混ざり合うことなく一つの流れ（筋）となる。よって、各管１２、１４、１６から流れ出たビールは多数の筋となってコップ５０内に入る。
【００２３】
このようにコップ５０内に注ぎ出されたビールはその上部にクリーミ−な泡が適度に発生しており、見た目が良く、泡が消えるまでの時間が長くなる。
【００２４】
図４は容器に注ぎ出されたビールの泡を拡大して示した図であり、（Ａ）は本実施例の飲料注出具１０で注出したビールの泡、（Ｂ）は缶の注ぎ口からそのまま注出したビールの泡を示している。（Ａ）と（Ｂ）の間には１ｍｍのスケールが示されている。図４（Ａ）と図４（Ｂ）とを比較すると、図４（Ａ）の方が小さい泡が密に形成されていることを確認できる。このような微細な泡は見た目がクリーミーであり、泡持ちも良いので従来と比較すると好適な状態でビールを飲用できる。
【００２５】
次に、図５は第２実施例の飲料注出具１１０を示している。本第２実施例は前記第１実施例でのアダプタ３０と飲料注出具１０とを一体に形成して、飲料注出具１１０としたものである。このような飲料注出具１１０であれば、ワンタッチで容器１００に着脱ができる。本第２実施例の飲料注出具１１０はポリエチレン、ポリプロピレン等の合成樹脂で一体成形すれば低コストで製造できる。
【００２６】
図６は（Ａ）が第３実施例の飲料注出具１５０、図６（Ｂ）は第３実施例の変形例の飲料注出具１６０を示している。
【００２７】
上記第１及び２実施例の複数管路部に設けられる管は、その管長が異なるよう設けていたが、本第３実施例では基部の表面１５１を傾斜させることで同様の機能を備えるように構成したものである。本実施例の場合は各管１５２、１５４、１５６は略同じ長さに形成されるが、傾斜面１５１によって右側の管程、上部に位置するよう形成している。すなわちビールをコップに注出する際に、コップに近接する管であるほど缶側に位置するように、前記基部の表面が傾斜されている。このような構成でも第１実施例で示した管の長を変更した場合と同様の効果を得ることができる。
【００２８】
図６（Ｂ）に示す例は、上記第３実施例を変形した飲料注出具１６０であり、各管１６２、１６４、１６６は略同じ長さに形成されるが、傾斜面１６１に対して垂直に立上がるように形成されている。このような形態でも各管１６２、１６４、１６６から流れ出たビールは多数の筋にしてコップ内へ注出することができる。
【００２９】
以上説明した実施例では飲料容器として缶を用いた場合について説明したが、瓶についても勿論同様に適用できる。缶の場合は特に上記のようなアダプタを必要とするが、瓶の場合は飲料注出具の基部内面に瓶口に係合するようなくびれを設けることで、そのまま前記実施例の飲料注出具１０、１５０、１６０を適用することができる。なお、瓶の場合についても飲料注出具との大きさの関係でアダプタを用いてもよいことは言うまでもない。
【００３０】
以上本発明の好ましい実施例について詳述したが、本発明は係る特定の実施形態に限定されるものではなく、特許請求の範囲に記載された本発明の要旨の範囲内において、種々の変形・変更が可能である。
【００３１】
【発明の効果】
以上詳述したところから明らかなように、請求項１に記載の発明によれば、管路部に形成された複数の管の各々から流れ出た発泡性飲料が互いに接触することなく、多筋状になってコップ等の他の容器に注ぎ出される。その結果、発泡性飲料上にクリーミ−な泡を適度に形成することができる。よって、従来のように注出動作を工夫するという必要も無く、誰でもクリーミーな泡立ちを有した発泡性飲料を注出することができる。すなわち、本飲料注出具を用いることで、前述した従来の問題が解消され、外部容器に注ぎ出された発泡性飲料は見た目が良く、泡が消えるまでの時間も長くなるので酸化防止、気抜け防止点で優れた効果を発揮することになる。
【００３２】
また、請求項２に記載の発明によっても、前記基部の表面が傾斜しているので前記管の長さが略同一であっても、管の長さを異なる形態で形成した場合と同様に飲料容器を傾けて実際の注出動作を行ったときに、流れ出た発泡性飲料が互いに接触することなく、多筋状になって外部容器に注ぎ出される。
【００３３】
また、請求項１及び２に記載の発明によれば、発泡性飲料にクリーミーな泡を適度に形成できる飲料注出具を提供することができる。
【図面の簡単な説明】
【図１】缶に第１実施例の飲料注出具を適用した例を示す図である。
【図２】缶にアダプタを介して第１実施例の飲料注出具を装着した様子を示す斜視図である。
【図３】第１実施例の飲料注出具を装着した缶を傾けてコップにビールを注ぎ出している様子を示した図である。
【図４】容器に注ぎ出されたビールの泡を拡大して示した図であり、（Ａ）は実施例の飲料注出具で注出したビールの泡、（Ｂ）は缶の注ぎ口からそのまま注出したビールの泡を示す図である。
【図５】第２実施例の飲料注出具について示す図である。
【図６】第３実施例の飲料注出具について示す図である。
【符号の説明】
１０、１１０        飲料注出具
１０Ａ              基部
１０Ｂ              管路部
１２、１４、１６    管
５０                コップ（他の容器）
１００              缶（飲料容器）
【図１】
0004843137.tif 000002
【図２】
0004843137.tif 000003
【図３】
0004843137.tif 000004
【図４】
0004843137.tif 000005
【図５】
0004843137.tif 000006
【図６】
0004843137.tif 000007